(57)【特許請求の範囲】
【請求項１】
流路と交差する方向に設けられた塵芥塞止部材の上流側に配置されて、前記塵芥塞止部材で塞き止められた塵芥をレーキで掻き揚げるための除塵装置において、
水上において前記塵芥塞止部材と平行に架設された第１の架設機構と、水上で且つ前記第１の架設機構よりも下方において前記第１の架設機構と平行に架設された第２の架設機構との双方に装着されて、前記第１及び第２の架設機構の軸方向に沿って移動する移動用部材と、
単一の棒状体で構成され、前記レーキを長手方向の一方端に有すると共に、前記レーキが下方になるように前記移動用部材に斜めに交差して配置されて、前記レーキを上下に変位させるために昇降することができる昇降用部材と、
前記移動用部材に取り付けられて、前記昇降用部材に対し当該昇降用部材を昇降させるための駆動力を供給する駆動装置と、
上下方向に開口を有する筒状を成し、前記移動用部材に前記第１、第２の架設機構と平行に延びる軸棒を介して取り付けられ、前記軸棒を中心として揺動することができると共に、前記昇降用部材が挿通され、当該昇降用部材を昇降することができるように保持する保持部材と、を備え、
前記移動用部材にハンドルの軸棒が回転自在に取り付けられていると共に前記ハンドルの軸棒に前記ハンドルの回転により前記軸棒の長手方向に沿って変位するリンク部材の一端が装着され、前記リンク部材の他端は前記保持部材に固定されて、前記ハンドルを回転することにより、前記保持部材を揺動させることができることを特徴とする除塵装置。
【請求項２】
前記ハンドルは、前記移動用部材に、当該移動用部材を前記第１及び第２の架設機構の軸方向に沿って移動させる力を供給するためのハンドルでもあると共に、前記移動用部材が前記第１及び第２の架設機構の軸方向に沿って移動するのを規制するロック装置が前記移動用部材に設けられていることを特徴とする請求項１に記載の除塵装置。
【請求項３】
前記駆動装置と前記昇降用部材とはワイヤで連結され、前記ワイヤの引き出しと巻取りとにより前記昇降用部材を昇降させていると共に、前記ワイヤは、前記レーキが前記塵芥塞止部材から離れる方向に前記保持部材の傾倒角度が設定されている状態では、前記レーキを前記塵芥塞止部材から離す方向に力が加わるように張られていることを特徴とする請求項１又は請求項２に記載の除塵装置。
【請求項４】
前記レーキは、湾曲した格子状部位を有して構成され、前記格子状部位の基端は前記昇降用部材の軸線上にあるが、前記格子状部位の基端から先端にかけて、前記格子状部位の塵芥を保持する側が斜めになるように、塞止用部材側に向けて湾曲して、前記格子状部位の先端は前記昇降用部材の軸線からずれたものとなっていることを特徴とする請求項１、請求項２、又は請求項３のいずれかに記載の除塵装置。
【発明の詳細な説明】
【技術分野】
【０００１】
本発明は、水力発電所の取水口に設置されたスクリーンの上流側に付着したごみや流木等の塵芥を昇降体に取り付けたレーキにより掻き揚げて廃棄するための比較的小型の装置に関する。
【背景技術】
【０００２】
取水口から水力発電所の内部にごみや流木等の塵芥が侵入すると、プロペラ等の機器が故障するので、取水口に柵状或いは格子状のスクリーンを設置して、取水口から水力発電所の内部にごみや流木等の塵芥が侵入するのを防止している。もっとも、スクリーンの上流側に塵芥が付着した状態を放置すると、取水口からの水の取り入れ量が相対的に減少するので、定期的にスクリーンの上流側に付着した塵芥を除去する必要がある。
【０００３】
この点、柄の長い棒の先端にレーキを取り付けて成る長尺の熊手を用いて作業員が人力のみにより塵芥を上方に掻き揚げる除塵作業を行うと、作業が重労働となり、作業員が河川や水路に転落するおそれがあるという不都合を有する。
【０００４】
また、特許文献１に示される全自動型の簡易除塵装置を用いて除塵作業を用いることも考えられる。もっとも、特許文献１に示される簡易除塵装置は、水路の幅方向に移動可能な走行台枠を稼働させるための専用の電源や、塵芥掻揚器具を稼働させるための専用の電動や、パワーシリンダー等を備えた構造となっている。このため、特許文献１に示される簡易除塵装置は、相対的に大型化しているので、小さな設置スペースしか取れない取水口には設置が困難であると共に製造コストも相対的に高くなるとの不具合を有する。
【０００５】
これに対し、特許文献２に示されるような、作業の一部を自動で、作業の一部を人力で行うことが可能な除塵機も既に公知になっている。特許文献２に示される除塵機は、比較的小さな水路において、この水路方向と交差する方向に設置されたスクリーンの水路の上流側に、駆動源からの電力の供給を受けて、スクリーンに沿って昇降自在なレーキが摺動部材に取り付けられ、摺動部材は取付フレームの筒状部に装着され、取付フレームは移動フレームに取り付けられ、移動フレームはガイドレールに車輪を介して吊り下げられ、移動用ハンドルの操作で人力にて移動体を動かすことを可能としたものである。そして、特許文献２に示される除塵機では、実施例２においては、傾斜角度調整用のハンドルの操作によりレーキの先端をスクリーンに遠近する方向に動かすことが可能となっている。
【先行技術文献】
【特許文献】
【０００６】
【特許文献１】特開平１１−９３１４４号公報
【特許文献２】特開２００４−３６１４７号公報
【発明の概要】
【発明が解決しようとする課題】
【０００７】
しかしながら、特許文献２に示される除塵機では、移動フレームは、断面がエ字状のガイドレールの下側部位の上面を２つの車輪が滑走することで、水路の幅方向に移動することが可能な構成となっている。すなわち、特許文献２の除塵機は、２つの車輪の接地面のみでガイドレールに支持された状態となっている。このため、一般的な水路では水の流速も大きくないので支障は生じ難いが、水力発電所の取水口では水の流速が大きいので、レーキが水中にある状態では、摺動部材に対し２つの車輪を支点として回転する力や車輪の軸方向にかかる力等が働き、この力が取付フレームまで伝達されて、２つの車輪がガイドレールから外れ、ひいては移動体が落下するおそれがある。
【０００８】
また、特許文献２に示される除塵機では、レーキは、２つの棒状体に連結され、２つの棒状体は、それぞれ取付フレームの筒状体に挿通し、棒状体は筒状体内をスライドすることで、レーキが昇降する構造となっている。このため、特許文献２に示される除塵機では、レーキを２つの棒状体で支持すると、双方の棒状体が筒状部の通孔の軸方向に沿って動くために棒状体間のバランスが重要となるところ、流速が大きいと、一方の棒状体に他方の棒状体よりも力が加わって、双方の棒状体がスムーズに筒状体内をスライドすることができず、ひいてはレーキの昇降をスムーズに行うことが困難となるという問題もある。
【０００９】
更に、特許文献２に示される除塵機では、駆動源とレーキとを連結するワイヤは、２つの棒状体と平行に延びているので、レーキをスクリーンから離れた状態に設定して水中に下降させても、流速が大きいと、レーキがスクリーンに吸い付けられて、レーキが水深の大きなところまで、スクリーンから離れた状態のまま下降させることが困難であるという不具合もある。
【００１０】
更にまた、特許文献２に示される除塵機は、図３等で示される実施例２にあっては、ハンドルの操作により、レーキのスクリーンへの遠近を操作する構成となっている。しかし、特許文献２に示される除塵機の上記構成では、ハンドルは、取付フレームと移動フレームとを連結するヒンジ軸よりも上方に配置される必要がある。このため、ハンドルの環状の操作部が作業員の肩くらいの位置になる場合があり、ハンドルの環状の操作部を回す際にハンドルの操作性に欠ける。
【００１１】
そこで、本発明は、流速が大きいという条件下でも、移動用部材が落下するのを防止し、昇降用部材を円滑に昇降させることができ、且つ昇降用部材の下方に有するレーキを、スクリーンから離れた状態を維持しつつ水深の大きなところまで下降させることが可能で、しかもレーキをスクリーンに遠近させる操作も簡便な除塵装置を提供することを目的としている。
【課題を解決するための手段】
【００１２】
本発明に係る除塵装置は、流路と交差する方向に設けられた塵芥塞止部材の上流側に配置されて、前記塵芥塞止部材で塞き止められた塵芥をレーキで掻き揚げるための除塵装置において、水上において前記塵芥塞止部材と平行に架設された第１の架設機構と、水上で且つ前記第１の架設機構よりも下方において前記第１の架設機構と平行に架設された第２の架設機構との双方に装着されて、前記第１及び第２の架設機構の軸方向に沿って移動する移動用部材と、単一の棒状体で構成され、前記レーキを長手方向の一方端に有すると共に、前記レーキが下方になるように前記移動用部材に斜めに交差して配置されて、前記レーキを上下に変位させるために昇降することができる昇降用部材と、前記移動用部材に取り付けられて、前記昇降用部材に対し当該昇降用部材を昇降させるための駆動力を供給する駆動装置と、上下方向に開口を有する筒状を成し、前記移動用部材に前記第１、第２の架設機構と平行に延びる軸棒を介して取り付けられ、前記軸棒を中心として揺動することができると共に、前記昇降用部材が挿通され、当該昇降用部材を昇降することができるように保持する保持部材と、を備え、前記移動用部材にハンドルの軸棒が回転自在に取り付けられていると共に前記ハンドルの軸棒に前記ハンドルの回転により前記軸棒の長手方向に沿って変位するリンク部材の一端が装着され、前記リンク部材の他端は前記保持部材に固定されて、前記ハンドルを回転することにより、前記保持部材を揺動させることができることを特徴としている（請求項１）。塵芥塞止部材は、例えば柵状又は格子状のスクリーンである。第１の架設機構は、例えば１本の円棒状のガイドレール又は２本の平行に延びる円棒状のガイドレールから成る。第２の架設機構は、例えば１本の円棒状のガイドレールから成る。昇降用部材は、例えば断面が四角形の角柱である。しかるに、この発明に係る除塵装置でも、昇降用部材を下降させるときには、レーキが塵芥塞止部材から離れる方向に保持部材を揺動させ、昇降用部材を上昇させるときには、レーキが塵芥塞止部材に接する方向に保持部材を揺動させることができることを特徴としている。ハンドルは、例えば円環状の操作部を有するもので、更に円環状の操作部からグリップ部が立設されていても良い。
【００１３】
これにより、この発明に係る除塵装置では、移動用部材は、上下に配置された２つの架設機構により支持されているので、安定しており、水力発電所の取水口等の流速が大きな流路に設けられたスクリーンの上流に除塵装置を設置しても、移動用部材が水圧等により第１及び第２の架設機構から落下することがない。また、昇降用部材は、単一の棒状体で構成され、その下端にレーキが設けられているもので、複数の棒状体で構成して、双方の棒状体の下端にレーキが架設された構成されたものとなっていないので、昇降用部材を昇降させるときに左右のバランスを考慮する必要がない。
【００１４】
また、この発明に係る除塵装置では、ハンドルの軸棒は、リンク部材を介して保持部材と連結されて、軸棒の回転がリンク部材を中継して保持部材の揺動となるように伝達されるので、保持部材との関係で移動用部材のどの位置に且つどのように設置するか限定されない。このため、ハンドルの軸棒を、ハンドルの環状の操作部から斜め下方に延びるように移動用部材に取り付け、作業員がハンドルの環状の操作部を手元で操作しやすいようにすることが可能である。
【００１５】
請求項２の発明に係る除塵装置にあっては、前記ハンドルは、前記移動用部材に、当該移動用部材を前記第１及び第２の架設機構の軸方向に沿って移動させる力を供給するためのハンドルでもあると共に、前記移動用部材が前記第１及び第２の架設機構の軸方向に沿って移動するのを規制するロック装置が前記移動用部材に設けられていることを特徴としている。
【００１６】
これにより、作業員がハンドルを持って移動用部材を引っ張ったり押したりすることにより、除塵装置を人力で第１及び第２の架設機構の軸方向に沿って移動させることが可能であるので、除塵装置を第１及び第２の架設機構の軸方向に沿って移動させるための駆動源等の設備が不要である。
【００１７】
請求項３の発明に係る除塵装置は、前記駆動装置と前記昇降用部材とはワイヤで連結され、前記ワイヤの引き出しと巻取りとにより前記昇降用部材を昇降させていると共に、前記ワイヤは、前記レーキが前記塵芥塞止部材から離れる方向に前記保持部材の傾倒角度が設定されている状態では、前記レーキを前記塵芥塞止部材から離す方向に力が加わるように張られていることを特徴としている。
【００１８】
これにより、レーキを塵芥塞止部材から離れた状態としながら水中に入れていくときに、移動用部材は、ワイヤによりレーキを塵芥塞止部材から離す方向にて支持しているので、流路の流速が大きくても、レーキが塵芥塞止部材に吸い付けられるのを防止することができる。
【００１９】
そして、請求項４の発明に係る除塵装置において、前記レーキは、湾曲した格子状部位を有して構成され、前記格子状部位の基端は前記昇降用部材の軸線上にあるが、前記格子状部位の基端から先端にかけて、前記格子状部位の塵芥を保持する側が斜めになるように、塞止用部材側に向けて湾曲して、前記格子状部位の先端は前記昇降用部材の軸線からずれたものとなっているようにしても良い。
【００２０】
これにより、レーキの下端を塞止用部材に接しつつ昇降用部材を上昇させる際には、塞止用部材が遮蔽物となるので、レーキの下端側の部位で塵芥を保持することができ、昇降用部材のレーキが塞止用部材よりも上方に出たところで、遮蔽物となっていた塞止用部材がなくなるので、レーキから塵芥が自然に落下する。
【発明の効果】
【００２１】
以上のように、請求項１に記載の除塵装置によれば、移動用部材は、上下に配置された２つの架設機構により支持されているので、安定しており、水力発電所の取水口等の流速が大きな流路に設けられたスクリーンの上流に除塵装置を設置しても、移動用部材が水圧等により第１及び第２の架設機構から落下するのを防止することができる。
【００２２】
また、請求項１に記載の除塵装置によれば、昇降用部材は、単一の棒状体で構成され、その下端にレーキが設けられた構成となっており、複数の棒状体で構成して、双方の棒状体の下端にレーキが架設された構成されたものとなっていないため、昇降用部材を昇降させるときに左右のバランスが悪くなることを防止することが可能であるので、昇降用部材を円滑に昇降させることができる。
【００２３】
更に、請求項１に記載の除塵装置によれば、ハンドルの軸棒は、リンク部材を介して保持部材と連結されて、軸棒の回転がリンク部材を中継して保持部材の揺動となるように伝達されるため、保持部材との関係で移動用部材のどの位置に且つどのように設置するか限定されないので、ハンドルの軸棒を、ハンドルの環状の操作部から斜め下方に延びるように移動用部材に取り付け、作業員がハンドルの環状の操作部を手元で操作しやすいようにすることが可能である。
【００２４】
特に請求項２に記載の除塵装置によれば、作業員がハンドルを持って移動用部材を引っ張ったり押したりすることにより、除塵装置を人力で第１及び第２の架設機構の軸方向に沿って移動させることが可能であるため、除塵装置を第１及び第２の架設機構の軸方向に沿って移動させるための駆動源等の設備が不要となるので、除塵装置の小型化や、除塵装置の製造コストの削減を図ることが可能である。
【００２５】
特に請求項３に記載の除塵装置によれば、レーキを塵芥塞止部材から離れた状態としながら水中に入れていくときに、移動用部材は、ワイヤでレーキを塵芥塞止部材から離す方向にて支持しているため、流路の流速が大きくても、レーキが塵芥塞止部材に吸い付けられるのを防止することができるので、除塵装置の設置場所の自由度が向上する。
【００２６】
特に請求項４に記載の除塵装置によれば、レーキの下端を塞止用部材に接しつつ昇降用部材を上昇させる際には、塞止用部材が遮蔽物となるため、レーキの下端側の部位で塵芥を保持することができ、昇降用部材のレーキが塞止用部材よりも上方に出たところで、遮蔽物となっていた塞止用部材がなくなるため、レーキから塵芥を自然に落下させることができるので、レーキからの塵芥の除去を円滑且つ簡易に行うことが可能である。
【図面の簡単な説明】
【００２７】
【図１】図１は、この発明に係る除塵装置が用いられた水力発電所の取水口の概略構成を示した説明図である。
【図２】図２は、この発明に係る除塵装置を水流の上流側から見た正面図である。
【図３】図３は、この発明に係る除塵装置の側面図である。
【図４】図４は、この発明に係る除塵装置のレーキを先端に有するアームを傾ける構造を示すための拡大図である。
【図５】図５は、この発明に係る除塵装置のワイヤの張り方及びレーキの形状の改良例を示した側面図である。
【図６】図６は、図５のレーキの形状を示した拡大図であり、図６（ａ）は、レーキの正面図、図６（ｂ）は、レーキの側面図である。
【発明を実施するための形態】
【実施例１】
【００２８】
以下、本発明の除塵装置１の実施例１について、図１から図４を参照しながら説明する。
【００２９】
図１において、除塵装置１が設置される場所の一例として、水力発電所の取水口（取入口とも称する。）１００及び取水口１００の上流側の流路を成す水路２００が示されている。これに伴い、取水口１００から水を多量に取り入れる等の場合には、水路２００から取水口１００内に流れる水の流速は相対的に大きくなっている。
【００３０】
この実施例１の取水口１００は、立壁１０１、１０２と、立壁１０１、１０２間に位置する間壁１０３との間に２つの開口部１００ａ、１００ｂを有している。そして、各開口部１００ａ、１００ｂには、ごみや流木等の塵芥が当該開口部１００ａ、１００ｂから水力発電所内に侵入するのを防止するために、塵芥を塞き止めるスクリーン１０４が配置されている。スクリーン１０４は、所定の間隔で配置された立棒及び立棒と交差する横棒から成る柵状又は格子状を成し、この実施例では公知のものが用いられている。そして、スクリーン１０４の下端は、通常時には、水路２００の水面以下になるようになっている。
【００３１】
取水口１００の立壁１０１、１０２、間壁１０３の水上となる上部には、ゲートを構成する枠体１０５が配置されている。枠体１０５は、立壁１０１から立設した支柱１０６と、間壁１０３から立設した支柱１０７と、立壁１０２から立設した支柱１０８とを有し、これらの支柱１０６、１０７、１０８は、横方向に延びる梁状部材１０９を支持している。
【００３２】
除塵装置１は、図１に示されるように、支柱１０６と支柱１０７との間、支柱１０７と支柱１０８との間に配置されるものであり、これら支柱１０６、１０７、１０８に架設された架設機構２、３を利用して当該架設機構２、３の軸方向に沿って移動可能に取水口１００に設置されている。
【００３３】
架設機構２は、この実施例では、図１から図３に示されるように、水平方向に沿って平行に延びる２本の円柱状のガイドレール２１、２２により構成されている。各ガイドレール２１、２２は、支柱１０６、１０７、１０８に固定されて不動のものとなっている。また、架設機構３は、この実施例では、図１から図３に示されるように、ガイドレール２１、２２よりも下方においてガイドレール２１、２２と平行に延びる１本の円柱状のガイドレール３１により構成されている。ガイドレール３１も、支柱１０６、１０７、１０８に固定されて不動のものとなっている。尚、この実施例では、図３に示されるように、ガイドレール２１、２２の方がガイドレール３１よりもスクリーン１０４側に配置されている。また、架設機構２は、ガイドレール２１、２２のうちいずれか一方のみから構成されることも可能である。架設機構３は、ガイドレール２１、２２しかない場合には、ガイドレール２２が、この架設機構３に該当するとしても良い。
【００３４】
除塵装置１は、この実施例では、図２から図４に示されるように、移動用部材４、昇降用部材５、レーキ６、保持部材７、操作機構８及び駆動装置９を有している。
【００３５】
移動用部材４は、上下方向（鉛直方向）に延びる２つの基体４１、４２を有し、基体４１と基体４２とは、ガイドレール２１、２２、３１の軸方向に沿って並んだ配置となっている。また、基体４２には、上下方向（鉛直方向）に延びる棒体３２が設けられている。
【００３６】
そして、基体４１、４２は、スクリーン１０４側に突出部４３が設けられ、更に、突出部４３には、下側に開口したコ字状部材４４と、上側に開口したコ字状部材４５とが取り付けられている。コ字状部材４４は、コ字状部材４５よりも上方に且つコ字状部材４５とはガイドレール２１とガイドレール２２との間隔に対応した間隔が空くように配置されている。
【００３７】
コ字状部材４４、コ字状部材４５には、それぞれ、水平方向に延びる回転軸４７ａによりローラ４７が回転可能に支持されている。各ローラ４７は、回転軸４７ａの軸方向の中央にくびれを有する略円柱形状をしている。コ字状部材４４のローラ４７は、下側周面がガイドレール２１に接しつつ転動し、コ字状部材４５のローラ４７は、上側周面がガイドレール２２に接しつつ転動するようになっている。これにより、移動用部材４は、ガイドレール２１、２２の軸方向に沿って移動することができると共に、コ字状部材４４のローラ４７とコ字状部材４５のローラ４７とでガイドレール２１、２２を上下から挟んだ状態となっているので、ガイドレール２１、２２から抜けなくなっている。
【００３８】
また、基体４１、４２は、その下端部近傍において、下側に開口したコ字状部材４６が取り付けられている。すなわち、コ字状部材４６は、コ字状部材４５よりも下方に且つコ字状部材４５とはガイドレール２２とガイドレール３１との間隔に対応した間隔が空くように配置されている。
【００３９】
コ字状部材４６には、水平方向に延びる回転軸４７ａによりローラ４７が回転可能に支持されている。コ字状部材４６のローラ４７も、回転軸４７ａの軸方向の中央にくびれを有する円柱形状をしている。そして、コ字状部材４６では、ローラ４７は、下側周面がガイドレール３１に接しつつ転動するようになっている。これにより、移動用部材４は、架設機構２、３により上下において支持されており、ガイドレール２１、２２、３１の軸方向に沿ってより安定した状態で移動することができる。また、コ字状部材４５とコ字状部材４６とは、逆方向に開口し、しかも水平方向にずれて配置されているので、移動用部材４は、ガイドレール２１、２２、３１からより一層抜けなくなっている。
【００４０】
そして、移動用部材４は、基体４１と基体４２とに架設されたハンドル４８を有している。ハンドル４８は、横行ハンドルとも称されるもので、この実施例では、基体４１、４２のスクリーン１０４側とは反対側から水平方向に突出した２つの棒状の突出部と、突出部同士を連結する棒状の連結部とで成り、上方又は下方から見ると略Ｕ字形状をなしている。これにより、作業員がハンドル４８を持ってガイドレール２１、２２、３１の軸方向に押したり、引いたりすることにより、移動用部材４、ひいては除塵装置１をガイドレール２１、２２、３１の軸方向に沿って移動（横行）させることができる。
【００４１】
その一方で、移動用部材４は、当該移動用部材４の移動（横行）を規制するためのロック装置４９、４９を基体４１、４２のそれぞれに有している。ロック装置４９は、この実施例では、持ち手４９ａと基体４１、４２に螺合された直線の棒状のロック本体４９ｂとで成り、持ち手４９ａを回転することにより、ロック本体４９ｂをガイドレール３１に対し進退する方向に動かすことができる。そして、ロック本体４９ｂの先端がガイドレール３１の側面に押し当てられることにより、移動用部材４の移動（横行）がロックされ、ロック本体４９ｂの先端がガイドレール３１の側面から離れることで、移動用部材４の移動（横行）に対するロックが解除される。
【００４２】
昇降用部材５は、直線的に延びると共に断面が四角形の棒状体（角柱）のみで構成されたものであり、図３に示されるように、移動用部材４の基体４１、４２間に配置されていると共に、上方が移動用部材４を基準としてスクリーン１０４とは反対側、下方が移動用部材４よりもスクリーン１０４側となるように、移動用部材４に対し斜めに交差して配置されている。昇降用部材５の側壁の外面には、かかる昇降用部材５が必要以上に降りるのを防止するために、図４に示されるように、下記する保持部材７の上端と当接するストッパー５１が突出形成されている。
【００４３】
昇降用部材５は、長手方向の一方端たる下方にごみや流木等の塵芥を掻き揚げるためのレーキ６を有している。レーキ６は、実施例１では、昇降用部材５の軸方向と平行に延びる縦向きの格子状部位６１と昇降用部材５の径方向に延びる横向きの格子状部位６２とで成る略Ｌ字状の形状をなしており、格子状部位６２の先端にはスクリーン１０４と接したときに転動するコロ６３が取り付けられている。
【００４４】
そして、昇降用部材５は、保持部材７を介して移動用部材４に支持されていると共に、駆動装置８からの駆動力の供給を受けて当該昇降用部材５の軸方向に沿った昇降が可能になっている。
【００４５】
このうち、保持部材７は、この実施例では、上下方向に四角形の開口を有する角筒状のものであり、図４に示されるように、上方と下方とに一対のローラ７２、７３が回転自在に収容されている。これにより、保持部材７は、当該保持部材７内に挿通した昇降用部材５を、ローラ７２とローラ７３とにより上下２箇所で挟むことにより、昇降用部材５を当該昇降用部材５の軸方向に昇降可能な状態で保持することができる。そして、保持部材７は、移動用部材４の双方の基体４１、４２側にそれぞれ水平方向に延びる軸棒７１、７１を有し、軸棒７１が基体４１、４２から突出したフランジ４１ａ、４２ａの通孔に挿通されている。これにより、保持部材７は、移動用部材４に支持されていると共に、軸棒７１を軸芯として揺動させて、所望の傾斜角度にすること、ひいては昇降用部材５のレーキ６をスクリーン１０４に遠近させること（レーキ６を開閉すること)が可能になっている。
【００４６】
そして、除塵装置１は、保持部材７の傾斜角度を調整して、レーキ６をスクリーン１０４に遠近させるための操作機構８を有している。操作機構８は、軸棒８１と、ハンドル８２と、リンク部材８３とで構成されている。
【００４７】
軸棒８１は、一方端が移動用部材４に回転自在に装着されると共に少なくとも一部が螺子切りされたものであり、移動用部材４からスクリーン１０４側とは反対方向に向けて斜め上方に延びている。ハンドル８２は、開閉ハンドルとも称されるもので、軸棒８１に連結された円環状のハンドル本体８２ａと、軸棒８１に外挿するホルダー８２ｂとで構成されており、ホルダー８２ｂは回転せず、移動用部材４に支持部材８４を介して支持されている。また、この実施例では、ハンドル本体８２ａにグリップ部８２ｃが設けられている。そして、リンク部材８３は、一方端が軸棒８１の螺子切りされた部位に外挿されて、軸棒８１の回転に伴い螺子棒６された部位を当該軸棒８１の軸方向に沿って変位すると共に他方端が保持部材７に固定されている。
【００４８】
これにより、図４の実線と二点鎖線とで示されるように、ハンドル本体８２ａを回転させることで、軸棒８１が回転して、リンク部材８３が軸棒８１の軸方向に沿って変位するので、保持部材７は軸棒７１を回転中心として揺動することができる。
【００４９】
駆動装置９は、この実施例では、モータ９１と、ワイヤ巻取り・引き出し装置９２と、ワイヤ９３とで構成されており、この実施例では移動用部材４の上方に取り付けられている。ワイヤ９３は、ワイヤ巻取り・引き出し装置９２から、移動用部材４よりスクリーン１０４側に突出したフランジ４１ｂ、４２ｂ間に架設されたローラ９４のスクリーン１０４とは反対側の周面に接した後、レーキ６に設けた装着部９５に取り付けられることにより、ワイヤ巻取り・引き出し装置９２とレーキ６との間で昇降用部材５の軸線よりも急な傾斜角度にて張設されている。そして、昇降用部材５の上昇スイッチ及び下降スイッチを有するコントロールボックス９６が移動用部材４に取り付けられている。
【００５０】
これにより、上昇スイッチ及び下降スイッチを適宜に押して、ワイヤ巻取り・引き出し装置９２がワイヤ９３を巻き取ったり、引き出したりすることにより、昇降用部材５は、当該昇降用部材５の軸方向に沿って昇降することができる。また、レーキ６は、ワイヤ巻取り・引き出し装置９２から延びるワイヤ９３が、スクリーン１０４の延びる方向よりも急な傾斜角度にて連結されている。このため、レーキ６は、スクリーン１０４よりも垂直に近い方向にて上方から引っ張られた状態となっているので、水路２００の流速が大きいときにも、レーキ６がスクリーン１０４に吸い付くことが回避される。
【実施例２】
【００５１】
図５及び図６において、昇降用部材５の稼働及びレーキ６による塵芥の掻き揚げ及び除去について改良した除塵装置１が実施例２として示されている。以下、実施例２の除塵装置１の構成について図５及び図６を用いて説明する。但し、先の実施例１と同様の構成は同一の符号を付してその説明を省略する。
【００５２】
保持部材７は、図５に示されるように、フランジ７４、７４が形成され、フランジ７４、７４間にローラ９７が回転自在に取り付けられている。そして、連結部９５は、図５に示されるように、昇降用部材５の軸線を基準線とした場合に、昇降用部材５の基準線からローラ９７までの寸法と昇降用部材５の基準線から連結部９５のワイヤ９３が固定される部位までの寸法が同じになるような長さで、レーキ６から突出している。
【００５３】
これにより、ワイヤ巻取り・引き出し装置９２から延びるワイヤ９３は、まずローラ９４のスクリーン１０４とは反対側の周面部分に接した後、ローラ９７のスクリーン１０４側の周面部分に接するところ、ローラ９７までは移動用部材４の軸線よりも急な傾斜角度であるが、ローラ９７から連結部９５までは昇降用部材５の軸方向と同方向に延びている。よって、ワイヤ９３は、レーキ６に対し、スクリーン１０４から離れる方向にレーキ６を引っ張る力を維持しつつ、昇降用部材５の軸方向に引っ張ることも可能となるので、昇降用部材５の円滑な昇降動作を可能にすることができる。
【００５４】
そして、レーキ６は、図６に示されるように、湾曲した格子状部位６４を有した構成となっている。図６（ｂ）に示されるように、格子状部位６４の基端は昇降用部材５の軸線上にあるが、格子状部位６４の基端から先端にかけて連結部９５とは反対側に大きく湾曲して、格子状部位６４の先端は昇降用部材５の軸線からずれたものとなっている。
【００５５】
これにより、図６（ｃ）に示されるように、昇降用部材５がスクリーン１０４と平行に上昇していくときには、レーキ６の先端近傍部位とスクリーン１０４とで形成された略三角状の窪みに塵芥を保持しつつ上昇することができると共に、レーキ６の先端がスクリーン１０４の上端よりも上方になったときには、自然にレーキ６から塵芥が除去される。このため、レーキ６により塵芥を掻き揚げて捨てる作業を円滑に行うことが可能である。
【００５６】
最後に、本発明の除塵装置１の操作の流れの一例について、準備操作、横行操作、除塵操作の順に説明する。
（準備操作）
準備操作として、駆動装置９の電源を入れた後、コントロールボックス９６の上昇スイッチを押して、レーキ６が立壁１０１、１０２又は間壁１０３の上面から離れるまで昇降用部材５を上昇させる。次に、操作機構８のハンドル８２を回して、保持部材７を揺動させ、レーキ６がスクリーン１０４から離れた状態にする。これにより、レーキ６の先端はいわゆる開いた状態となる。更に、ロック装置４９の持ち手４９ａを持って回転して、ロック装置４９のロック本体４９ｂがガイドレール３１をロックした状態を解除する。
（横行操作）
ハンドル８２を持って移動用部材４をガイドレール２１、２２、３１の軸方向に沿って移動（横行）させて、移動用部材４が所望の場所になるようにした後、ロック装置４９の持ち手４９ａを持って回転して、ロック装置４９のロック本体４９ｂでガイドレール３１をロックする。これにより、ハンドル８２を持って移動用部材４を押したり引いたりしても、移動用部材４の移動（横行）ができなくなる。
（除塵操作）
コントロールボックス９６の下降スイッチを押して、スクリーン１０４から離れた状態のレーキ６を除塵が必要な位置まで下降させた後、操作機構８のハンドル８１を回して、保持部材７を先程とは反対方向に揺動させ、レーキ６がスクリーン１０４に接した状態にする。これにより、レーキ６の先端はいわゆる閉じた状態となる。コントロールボックス９６の上昇スイッチを押して、レーキ６がスクリーン１０４の上端になるまで昇降用部材５を上昇させる。このとき、実施例２のレーキ６では、格子状部位６４の塵芥を保持する側が斜めになっているため、スクリーン１０４が前方からなくなることにより、塵芥が自然に落下するので、レーキ６から塵芥を掻き出す作業が不要となる。
【符号の説明】
【００５７】
１  除塵装置
２  架設機構（第１の架設機構）
３  架設機構（第２の架設機構）
４  移動用部材
４８  ハンドル
４９  ロック装置
５  昇降用部材
６  レーキ
６４  格子状部位
７  保持部材
８  操作機構
８１  軸棒
８２  ハンドル
８３  リンク部材
９  駆動装置（駆動源）
１００  取水口
１０４  スクリーン（塞止用部材）
２００  取水口の上流側の水路（流路）
【図１】
0006465680.tif 000002
【図２】
0006465680.tif 000003
【図３】
0006465680.tif 000004
【図４】
0006465680.tif 000005
【図５】
0006465680.tif 000006
【図６】
0006465680.tif 000007